(57)【要約】【課題】外装部材の合わせ部の防滴構造に関して、部品コストと組立工数を削減することを可能にした電子機器を提供すること。【解決手段】  機器本体の外装を２つ以上の外装カバー（３２０、４００）で構成する電子機器であって、第１のシール部材（３８０）が配置されている第１の外装カバー（３２０）と、第２のシール部材（４１０）が配置されている第２の外装カバー（４００）と、  第２のシール部材（４１０）は、第１のシール部材（３８０）の端部（３８１）を跨ぐように配置されており、  第２のシール部材（４１０）は、第１のシール部材（３８０）の端部（３８１）に対向する部位で、局所的に体積を増大させた直方体の拡大部（４１１）を備えることを特徴とする。【選択図】図８
2018005148.tif 000002
【特許請求の範囲】
【請求項１】
機器本体の外装を２つ以上の外装カバー（３２０、４００）で構成する電子機器であって、
第１のシール部材（３８０）が配置されている第１の外装カバー（３２０）と、
第２のシール部材（４１０）が配置されている第２の外装カバー（４００）と、
前記第２のシール部材（４１０）は、前記第１のシール部材（３８０）の端部（３８１）を跨ぐように配置されており、
前記第２のシール部材（４１０）は、前記第１のシール部材（３８０）の前記端部（３８１）に対向する部位で、局所的に体積を増大させた直方体の拡大部（４１１）を備えることを特徴とする電子機器。
【請求項２】
前記第２のシール部材（４１０）は、前記第１のシール部材（３８０）よりも硬度が高いことを特徴とする請求項１に記載の電子機器。
【請求項３】
前記第２のシール部材（４１０）は、前記第２の外装カバー（４００）に一体成型されていることを特徴とする請求項１又は請求項２に記載の電子機器。
【請求項４】
前記第１のシール部材（３８０）の前記端部（３８１）は、前記第２のシール部材（４１０）の長方形の前記拡大部（４１１）よりも、投影面積が大きいことを特徴とする請求項１乃至請求項３の何れか一項に記載の電子機器。
【発明の詳細な説明】
【技術分野】
【０００１】
本発明は、デジタルカメラやデジタルビデオカメラなどの電子機器に関し、特に外装部材の合わせ部の防滴構造に関する。
【背景技術】
【０００２】
従来、デジタルカメラなどの携行型の電子機器では、屋外等での使用において水滴や砂ぼこりがカメラ内部に侵入することを防ぐために、防滴防塵機能を備えるものがあった。      
【０００３】
特許文献１では、防滴構造を有する電子機器が開示されている。カメラなどのバッテリアダプタにおいて、上カバーと下カバーの間にループ状の防水シールを配置して、防滴機能を実現している。
【先行技術文献】
【特許文献】
【０００４】
【特許文献１】特開２００５−３７９２１号公報
【発明の概要】
【発明が解決しようとする課題】
【０００５】
しかしながら、上述の特許文献１に開示された従来技術では、上カバーと下カバーの合わせ部の全周にループ状の防水シールを配置しているため、シール部品が大型化してしまい、カバー側にも合わせ部の全周にシールを貼り付けるための溝を設ける必要がある。また、防水シールがループ状でかつ部分的に屈曲しているため、防水シールをある一端から貼り付ける作業において、工程時間の増大や、貼りずれなど作業者の熟練度に起因する性能のバラツキが発生する懸念がある。
【０００６】
そこで、本発明の目的は、外装部材の合わせ部の防滴構造に関して、部品コストと組立工数を削減することを可能にした電子機器を提供することにある。
【課題を解決するための手段】
【０００７】
上記の目的を達成するために、本発明に係る電子機器は、
機器本体の外装を２つ以上の外装カバー（３２０、４００）で構成する電子機器であって、
第１のシール部材（３８０）が配置されている第１の外装カバー（３２０）と、
第２のシール部材（４１０）が配置されている第２の外装カバー（４００）と、
前記第２のシール部材（４１０）は、前記第１のシール部材（３８０）の端部（３８１）を跨ぐように配置されており、
前記第２のシール部材（４１０）は、前記第１のシール部材（３８０）の前記端部（３８１）に対向する部位で、局所的に体積を増大させた略直方体の拡大部（４１１）を備えることを特徴とする。
【発明の効果】
【０００８】
本発明によれば、外装部材の合わせ部の防滴構造に関して、部品コストと組立工数を削減することを可能にした電子機器を提供することができる。
【図面の簡単な説明】
【０００９】
【図１】本発明の実施形態におけるカメラ全体の概略構成を示す斜視図である。
【図２】本発明の実施形態におけるカメラの正面から見た分解斜視図である。
【図３】本発明の実施形態におけるカメラの背面から見た分解斜視図である。
【図４】本発明の実施形態における上面カバーの上面図と上面カバーに貼り付けられたシール部材の端部の構成を示した図である。
【図５】本発明の実施形態におけるアンテナカバーの下面図とアンテナカバーに一体成型されたシール部の構成を示した図である。
【図６】本発明の実施形態におけるアンテナカバーのシール部が、上面カバーに当接して、変形する状態を示した図である。
【図７】本発明の実施形態における上面カバーに貼り付けられたシール部材の端部を示す模式図である。
【図８】本発明の実施形態における上面カバーに貼り付けられたシール部材の端部がアンテナカバーのシール部によって押し潰されている状態を示す模式図である。
【発明を実施するための形態】
【００１０】
以下に、本発明の好ましい実施の形態を、添付の図面に基づいて詳細に説明する。
【００１１】
本実施形態では、電子機器としてデジタル一眼レフカメラ（以下、カメラという）を取り上げて説明する。
【００１２】
まず、本発明の実施例に係るカメラの全体の概略構成について図１を参照して説明する。
【００１３】
図１は本実施例に係るカメラ１の外観図であり、撮影レンズユニット（不図示）を外した状態を示している。図１（ａ）はカメラ１を前面側（Ｆｒ側）から見た斜視図であり、図１（ｂ）はカメラ１を背面側（Ｒｒ側）から見た斜視図である。カメラ１の上側をＴ、下側をＢとする。背面側Ｒｒから見て、カメラ１の右側をＲ、左側をＬとする。
【００１４】
図１（ａ）に示すように、カメラ１の正面には、撮影レンズユニットを着脱可能に固定するマウント部２が設けられている。マウント部２には、カメラ１と撮影レンズユニットとの間で制御信号、状態信号およびデータ信号等の通信を可能にし、撮影レンズユニット側に電力を供給するマウント接点３が設けられている。また、カメラ１には、マウント部２の近接した位置に、装着された撮影レンズユニットを取り外すときに押下するレンズロック解除ボタン４が設けられている。
【００１５】
カメラ１の内部には、撮影レンズを通過した撮影光束が導かれるミラーボックス２０が設けられている。ミラーボックス２０内には、撮影光束を所定の方向に反射させるメインミラー（クイックリターンミラー）６が配設されている。カメラ１には撮影者がカメラ１を保持するためのグリップ部９が設けられている。グリップ部９には、撮影者がカメラ１に対して撮影を指示するためのレリーズボタン１０が設けられている。カメラ１の上部には、フラッシュ取り付け用のシュー溝１２およびフラッシュ接点１３が設けられている。
【００１６】
また、図１（ｂ）に示すように、カメラ１の背面には、上述したメインミラー６により反射された撮像光束を撮影者が観察できるファインダ接眼窓１４が設けられている。カメラ１の背面の中央付近には、画像表示可能なカラー液晶モニタ１５が設けられている。側面には、撮影画像などを記録するメモリーカードを収納する部位を覆うカード蓋３０を備える。また、底面には、電池（不図示）を収納する部位を覆う電池蓋３１を備える。
【００１７】
図２はカメラ１の前面側Ｆｒから見た分解斜視図である。図３はカメラ１を背面側Ｒｒから見た分解斜視図である。
【００１８】
カメラ１は、本体ユニット４０が、正面カバー３１０、上面カバー３２０、背面カバー３３０、底面カバー３４０、右側カバー３５０、左側カバー３６０の外装カバーにより覆われる構成になっている。ペンタプリズム４１は、メインミラー６により反射された撮像光束を撮影者が観察できるファインダ接眼窓１４に導くように配置されている。
【００１９】
正面カバー３１０、上面カバー３２０、背面カバー３３０、底面カバー３４０は、マグネシウム合金で成型されている。これらの４カバーが組み付け時に合わさる部位には、シール部材が貼り付けられており、それぞれのカバーが組み合わせると、合わせ部でシール部材がチャージされることにより防滴性能が満たされる。シール部材は、例えば、シリコンスポンジなどの防滴性能を備える材料で、構成される。また、シール部材の断面は略矩形で、カバー部材には両面テープなどの接着剤で貼り付けられる。
【００２０】
上面カバー３２０には、Ｆｒ側にシール部材３８０、３９０、Ｒｒ側にシール部材３２２が貼り付けられている。上面カバー３２０には、ＷｉＦｉアンテナ５０、ＧＰＳアンテナ５１が配置されており、それらを覆うアンテナカバー４００を備える。アンテナカバー４００は、二色成型で作成され、１次成形材料は合成樹脂で、正面カバー３１０、上面カバー３２０との合わせ部には、２次成形材料であるエラストマーのシール部４１０が一体成型されている。上面カバー３２０にアンテナカバー４００が組み込まれることで、合体することで、シール部材３８０、３９０と、シール部４１０は連結され、これらに対向する箇所は、正面カバー３１０の当接部３１２となる。
【００２１】
上面カバー３２０のシール部材３２２に対向する箇所は、背面カバー３３０の当接部３３２である。本発明における上面カバー３２０とアンテナカバー４００の合わせ部の防滴構成に関しては、後程詳述する。請求項における第１の外装カバーは上面カバー３２０であり、第２の外装カバーは、アンテナカバー４００である。ＷｉＦｉアンテナ５０、ＧＰＳアンテナ５１の無線性能を満足するために、アンテナカバー４００の１次成形材料は非導電性の合成樹脂で成型されている。
【００２２】
また、アンテナカバー４００の内観側に配置されている上面カバー３２０はマグネシウム合金で成型されているため、電磁シールド効果を備える。このように、ペンタプリズム４１の上部において、アンテナカバー４００と上面カバー３２０で囲まれる空間にアンテナを配置することで、無線性能と電磁シールド性能が両立できている。
【００２３】
また、底面カバー３４０には、Ｆｒ側にシール部材３４１、Ｒｒ側にシール部材３４２が貼り付けられている。シール部材３４１に対向する箇所は、正面カバー３１０の当接部３１４であり、シール部材３４２に対向する箇所は、背面カバー３３０の当接部３３４である。
【００２４】
右側カバー３５０、左側カバー３６０は、二色成型で作成され、１次成形材料は合成樹脂で成型され、隣接する外装カバーとの合わせ部には、２次成形材料であるエラストマーで、シール部が一体成型されている。右側カバー３５０は、上面カバー３２０側にシール部３５２、背面カバー３３０側にシール部３５３、底面カバー３４０側にシール部３５４が配置されている。外装カバーのそれぞれ対抗する位置に当接面３２５、３３５、３４５が設けられている。
【００２５】
左側カバー３６０は、正面カバー３１０側にシール部３６１、上面カバー３２０側にシール部３６２、背面カバー３３０側にシール部３６３、底面カバー３４０側にシール部３６４が配置されている。外装カバーのそれぞれ対抗する位置に当接面３１６、３２６、３３６、３４６が設けられている。
【００２６】
続いて、上面カバー３２０とアンテナカバー４００の合わせ部の防滴構成に関して詳細を説明する。
【００２７】
図４（ａ）は上面カバー３２０の上面図であり、アンテナカバー４００との合わせ部を示している。上面カバー３２０には、シール部材３８０、３９０が貼り付けられている。このように、上面カバー３２０に貼り付けられるシール部材３８０、３９０は、カメラのＬ側、Ｒ側で分断されている。これは、シール部材３８０、３９０を連結すると、ＷｉＦｉアンテナ５０、ＧＰＳアンテナ５１の近傍にシール部材を貼り付けるスペースが必要であったり、また、シール部材自体が大型化すると、部品コストや組立作業性が低下するためである。
【００２８】
図４（ｂ）は図４（ａ）のＰ部を拡大した図であり、シール部材３８０の端部３８１を示している。図４（ｃ）はシール部材３８０の端部３８１の前面斜視図である。シール部材３８０の端部３８１は、網掛け部になり、通常部の幅よりも大きく（３８３＞３８２）、面積がＲとなっている。また、シール部材３８０の端部３８１の２面（３８１ａ、３８１ｂ）は、上面カバー３２０に突き当てて、貼り付ける構成である。さらに、斜面の側面３８１ｃを設けることで、Ｆｒ側への貼りずれを規制する構成となっている。
【００２９】
図５はアンテナカバー４００の下面図である。
【００３０】
前述したように、アンテナカバー４００には、シール部４１０が一体成型されており、シール部４１０は閉じた系になっている。アンテナカバー４００は、上面カバー３２０の内側から、4本のビス（不図示）が３２０ａ、３２０ｂ、３２０ｃ、３２０ｄを挿通して、４００ａ、４００ｂ、４００ｃ、４００ｄのビス穴で固定される。図中の矢印４１０ａの範囲は上面カバー３２０またはシール部材３８０、３９０と当接し、矢印４１０ｂの範囲は正面カバー３１０と当接することで、防滴性能を満たしている。
【００３１】
図５（ｂ）は図５（ａ）のＱ部の拡大図であり、図５（ｃ）は図５（ａ）のＱ部の背面斜視図である。
【００３２】
アンテナカバー４００のシール部４１０は、シール部材３８０の端部の拡大部３８１に対向する箇所に略直方体の拡大部４１１を備えており、拡大部の投影面積は、斜線部で示されるＳとなる。シール部材３８０の端部３８１の面積Ｒと、シール部４１０の拡大部４１１の面積Ｓの関係は、「Ｒ＞Ｓ」となっている。
【００３３】
図６に、シール部４１０が上面カバー３２０と当接する箇所の断面図を示す。図６（ａ）はシール部４１０が上面カバー３２０に当接する前の状態、図６（ｂ）はシール部４１０が上面カバー３２０に当接している状態を示す。
【００３４】
図６に示すように、シール部４１０は、傾斜部４１２と直線部４１３を備えるくさび型の形状になっている。これに対向する上面カバー３２０には、斜面３２１を設けられている。図６（ｂ）に示すように、シール部４１０の傾斜部４１２が、上面カバー３２０の斜面３２１により、内観側（図中右側）に倒れることで、防滴性能を満たしている。
【００３５】
一般的に、外装カバーの合わせ部における氏＾リングに関して、反発力が大きくなると、合わせ部の隙間が大きくなったり、ばらついたりする問題が生じる。従って、シール部４１０を図６に示すように、倒れるように変形させることで、防滴性能を満足しつつ、外装カバーの合わせ部の隙間も均一に保つことが可能となる。図６は上面カバー３２０との当接部を示しているが、図５の４１０ｂで示す正面カバー３１０と当接する箇所も図６と同様の構成である。
【００３６】
図５と図６に示すように、アンテナカバー４００のシール部４１０は、基本的に略くさび形状でカバー部材が組み付けられた時に倒れることで防滴構成を達成しているが、シール部材３８０の端部３８１に対向する箇所に、シール部４１０は略直方体の拡大部４１１を備えている。
【００３７】
図７を用いて、上面カバー３２０とアンテナカバー４００が組み合わさった時の、端部３８１と拡大部４１１の効果について、模式図により説明する。
【００３８】
図７（ａ）は上面カバー３２０に貼り付けられるシール部材３８０の端部３８１（図４のＰ部）の断面図を示す。図７（ｂ）は図７（ａ）の部位の上面図である。
【００３９】
シール部材３８０は、上面カバー３２０に貼り付けるので、シール部材３８０の端部３８１において、常に隙間を０にすることは困難であり、図７に示すようにδの隙間が発生してしまう。この状態で、通常のシール部４１０でシール部材３８０の端部３８１に当接させた時、隙間δから浸水経路があり、防滴性能を満足できない懸念がある。
【００４０】
図８（ａ）は図７（ａ）部において、アンテナカバー４００が組み込まれて、シール部４１０の拡大部４１１がシール部材３８０の端部３８１を押し潰している状態を示す（アンテナカバー４００のシール部４１０のみを表示）。
【００４１】
シール部材３８０の端部３８１に対向するシール部４１０に略直方体の拡大部４１１を備えており、アンテナカバー４００と上面カバー３２０が組み合わさった時に、端部３８１を押し潰す体積が大きい。エラストマーのシール部４１０は、シリコンスポンジのシール部材３８０よりも硬度が大きいため、端部３８１の方が大きく変形することになる。従って、端部３８１の側面３８１ａが上面カバー３２０に接触するように変形して、隙間δを埋めている。
【００４２】
図８（ｂ）は図８（ａ）の状態における上面図である。
【００４３】
シール部４１０の拡大部４１１がシール部材３８０の端部３８１を押し潰している状態で、端部３８１の側面３８１ｂの変形も上面カバー３２０で規制することで、端部３８１の側面３８１ａはδを埋めるように変形しやすい構成になっている。
【００４４】
上述したように、本発明の構成をとることで、上面カバー３２０に貼り付けるシール部材３８０の端部３８１で隙間δが発生しても、端部３８１の側面３８１ａを上面カバー３２０側に変形させることで、隙間δを埋めることが可能である。従って、上面カバー３２０に貼り付けるシール部材の端部での防滴性能の懸念を払拭できるため、シール部材を左右で分断することが可能であり、シール部材の部品コストと組立工数を削減することが可能である。
【００４５】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４６】
３１０  正面カバー、３２０  上面カバー、３８０  シール部材、
３８１  シール部材の端部、３８１ａ  シール部材の側面、
３８１ｂ  シール部材の側面、３８１ｃ  シール部材の側面、４００  アンテナカバー、
４１０  シール部、４１１  シール部４１０の拡大部、
４１２  シール部４１０の傾斜部、４１３  シール部４１０の直線部
【図１】
2018005148.tif 000003
【図２】
2018005148.tif 000004
【図３】
2018005148.tif 000005
【図４】
2018005148.tif 000006
【図５】
2018005148.tif 000007
【図６】
2018005148.tif 000008
【図７】
2018005148.tif 000009
【図８】
2018005148.tif 000010